(57)【要約】【課題】封筒を効率的に開封でき、開封の際に封入されている申込書を切り取ることがないようにして開封できるようにした封筒部付き帳票を提供する。【解決手段】矩形状の用紙の一部に封筒上紙が重ねられ、一辺開口型の封筒部を有する封筒部付き帳票であり、前記用紙は、切り取り用ミシン目により情報表示部と封筒部とが並んで配置され、前記封筒部には、前記切り取り用ミシン目に沿って塗布された粘着剤層と、前記粘着剤層に貼付された剥離テープと、封筒上紙と、を有し、前記封筒上紙には、下側方向に対して山型形状となる開封用の切り取り用ミシン目を有し、前記開封用の切り取り用ミシン目は、前記用紙の粘着剤層の部分を折り返し、前記封筒上紙上に貼付させた際に用紙の一部で隠れることがない位置に形成され、前記封筒上紙と前記用紙とを上辺縁で接着する接着剤は、前記開封用の切り取り用ミシン目の２本のミシン目間の途中の位置までに設けられている。【選択図】        図１
2010069810.tif 000002
【特許請求の範囲】
【請求項１】
矩形状の用紙の表面領域の一部に封筒上紙が重ねられ、前記封筒上紙の裏面側の三周縁部で接着されて設けられた一辺開口型の封筒部を有する封筒部付き帳票であって、
前記用紙は、縦方向に形成された切り取り用ミシン目により、情報表示部と封筒部とが横方向に並んで配置され、
前記封筒部には、前記用紙の切り取り用ミシン目に沿って塗布された粘着剤層と、前記粘着剤層の上面に剥離可能に貼付された剥離テープと、前記用紙の前記粘着剤層が設けられていない右側の領域上に重ねられ、三周縁において塗布された接着剤により接着された封筒上紙と、を有し、
更に、前記封筒上紙には、該封筒上紙の上辺側の２箇所から、下側方向に対して山型形状となるように形成された開封用の切り取り用ミシン目を有し、
また、前記開封用の切り取り用ミシン目は、前記用紙の粘着剤層が設けられた部分を折り返して、前記封筒上紙の上面に貼付させた際に、前記折り返した用紙の一部で隠れることがない位置に形成され、
また、前記封筒上紙と前記用紙とを上辺縁で接着する接着剤は、前記下側方向に対して山型形状となるように形成された開封用の切り取り用ミシン目の２本のミシン目間の途中の位置までに設けられていることで、前記開封用の切り取り用ミシン目のミシン目間の途中までの位置に、接着剤が設けられていない領域を有していることを特徴とする封筒部付き帳票。
【請求項２】
前記矩形状の用紙及び前記封筒上紙の上側には、申込書を有する複数の用紙が重ね合わされ、前記矩形状の用紙と、前記申込書を有する複数の用紙と、が左側の端辺縁部でライン状またはスポット状に接着されていることを特徴とする請求項１記載の封筒部付き帳票。
【発明の詳細な説明】
【技術分野】
【０００１】
本発明は、矩形状の用紙の表面領域の一部に封筒上紙が重ねられ、前記封筒上紙の裏面側の三周縁部で接着されて設けられた一辺開口型の封筒部を有する封筒部付き帳票に関する。
【背景技術】
【０００２】
従来、販売促進用のダイレクトメールや広告宣伝用の印刷物などとして、複数の用紙を重ね合わせ一辺側で綴じて一体化させた冊子など、種々の構成の冊子が提案されている。（例えば、特許文献１〜３参照）
また、データベースに登録されている個人情報を使用して、プリンタで個人情報を印字するとともに、予め印刷した共通の販売促進情報や、個々の顧客のニーズに応じて選択した販売促進情報をプリンタで印字するなどした用紙と、一辺開口型の封筒部を有する用紙と、を重ね合わせた封筒部付き帳票も使用されている。
【０００３】
【特許文献１】特開平５−４２７８４号公報
【特許文献２】特開２００４−８２５８１号公報
【特許文献３】特開２００７−２８３５５９号公報
【０００４】
これらの封筒部付き帳票は、例えば、銀行、クレジット会社等の金融機関で新サービスを開始する際に、顧客の申し込み用媒体として使用されている。
また、それらの新サービスが顧客のニーズと合致した場合には、多数の申込希望者が申し込みを行なうことになるために、申込書が封緘された封筒が銀行、クレジット会社等の金融機関宛に多数送られてくることになる。
このために、金融機関側では受信した多数の封筒の中から申込書を取り出す開封作業に手間や時間が取られることになる。
通常、受信した封筒の開封作業では、ハサミやカッターなどを使用して封筒の一端側を切り取るなどして開封を行なう場合に、効率的に開封作業が行なえるようにするために、複数の封筒を重ねた状態でまとめて封筒の一端側を切り取るなどしている。
【０００５】
しかしながら、申込希望者が封筒内に申込書を折り畳むなどして封入する際に、申込者毎に様々な方法で封入するために、これらの封筒を受信した金融機関側において、これらの封筒をハサミやカッターなどを使用して封筒の一端側を切り取る場合に、うっかり封入されている申込書の一部まで切り取ってしまうという事故が生じる危険性があるという問題がある。
このために、金融機関側では、申込者から送信されてきた封筒を効率的に開封でき、更に、開封の際に、封入されている内部の申込書をうっかり切り取ることがないようにして開封できるようにした封筒部付き帳票に対するニーズがある。
【発明の開示】
【発明が解決しようとする課題】
【０００６】
そこで、本発明は、申込者から送信されてきた封筒を効率的に開封でき、更に、開封の際に、封入されている内部の申込書をうっかり切り取ることがないようにして開封できるようにした封筒部付き帳票を提供する。
【課題を解決するための手段】
【０００７】
本発明の封筒部付き帳票は、矩形状の用紙の表面領域の一部に封筒上紙が重ねられ、前記封筒上紙の裏面側の三周縁部で接着されて設けられた一辺開口型の封筒部を有する封筒部付き帳票であって、前記用紙は、縦方向に形成された切り取り用ミシン目により、情報表示部と封筒部とが横方向に並んで配置され、前記封筒部には、前記用紙の切り取り用ミシン目に沿って塗布された粘着剤層と、前記粘着剤層の上面に剥離可能に貼付された剥離テープと、前記用紙の前記粘着剤層が設けられていない右側の領域上に重ねられ、三周縁において塗布された接着剤により接着された封筒上紙と、を有し、更に、前記封筒上紙には、該封筒上紙の上辺側の２箇所から、下側方向に対して山型形状となるように形成された開封用の切り取り用ミシン目を有し、また、前記開封用の切り取り用ミシン目は、前記用紙の粘着剤層が設けられた部分を折り返して、前記封筒上紙の上面に貼付させた際に、前記折り返した用紙の一部で隠れることがない位置に形成され、また、前記封筒上紙と前記用紙とを上辺縁で接着する接着剤は、前記下側方向に対して山型形状となるように形成された開封用の切り取り用ミシン目の２本のミシン目間の途中の位置までに設けられていることで、前記開封用の切り取り用ミシン目のミシン目間の途中までの位置に、接着剤が設けられていない領域を有していることを特徴とする。
【０００８】
また、本発明の封筒部付き帳票は、前記矩形状の用紙及び前記封筒上紙の上側には、申込書を有する複数の用紙が重ね合わされ、前記矩形状の用紙と、前記申込書を有する複数の用紙と、が左側の端辺縁部でライン状またはスポット状に接着されていることを特徴とする。
【発明の効果】
【０００９】
したがって、本発明の封筒部付き帳票は、封筒部内に申込用紙を封入封緘した封筒が送信されて、その封筒を受信した後に開封作業を行なう際に、封筒上紙の上辺縁において接着剤が設けられていない領域に指を入れながら、封筒上紙に山型形状で形成されている開封用の切り取り用ミシン目に基づいて封筒上紙を引っ張ることで、簡単に封筒上紙の一部分を切り取ることができ、申込用紙を取り出せるので、申込者から送信されてきた封筒を効率的に開封でき、更に、開封の際に、封入されている内部の申込書をうっかり切り取ることを防止することができるという効果がある。
【発明を実施するための最良の形態】
【００１０】
以下、本発明の実施形態に係る封筒部付き帳票を図面に基づいて詳細に説明する。
図１は、本発明の実施形態に係る封筒部付き帳票の斜視図、図２は、図１のＡ−Ａ線断面図、図３は、本発明の実施形態に係る封筒部付き帳票を分解状態にした平面図である。
実施形態に係る封筒部付き帳票１は、商品情報が記載された２枚の広告用紙２ａ，２ｂと、商品やサービスに対する申し込み情報を記入するための４枚の申込用紙３ａ，３ｂ，３ｃ，３ｄと、それらの申込用紙３ａ，３ｂ，３ｃ，３ｄから所定の申込用紙を封入して郵送するための一辺開口型の封筒部４ａを有する矩形状の用紙４と、が重ねられ、それらの用紙の左側の端辺縁部でライン状またはスポット状に設けられた接着剤１０により、冊子状に接着一体化されている。
【００１１】
また、４枚の申込用紙３ａ，３ｂ，３ｃ，３ｄは、ノーカーボン複写用紙などが使用されて、記入内容が複写可能に構成されており、接着剤１０が設けられた部分から切り取れるように切り取り用ミシン１１が形成されている。
尚、これらの広告用紙及び申込用紙の枚数は、必要に応じて適宜変更することができる。
また、この実施形態に説明では、４枚の申込用紙３ａ，３ｂ，３ｃ，３ｄのうち、１枚の申込用紙３ｄを封筒に入れて郵送することとして説明してあるが、必要に応じて複数の申込用紙を封筒に入れて郵送するようにしてもよい。
４枚の申込用紙３ａ，３ｂ，３ｃ，３ｄは、縦方向の幅寸法が封筒用紙４の寸法よりも狭い寸法で形成されており、申込用紙を横方向に折り畳んで封筒部４ａの袋部に封入可能な寸法を有している。
【００１２】
図４には、封筒部付き帳票１の最下位にある一辺開口型の封筒部４ａを有する矩形状の用紙４の平面図が示され、図５には、一辺開口型の封筒部４ａを有する矩形状の用紙４から、封筒上紙５を上方側に分離させた状態を示す平面図が示されている。
次に、この一辺開口型の封筒部４ａを有する矩形状の用紙４の構成について、図４及び図５に基づいて説明する。
【００１３】
矩形状の用紙４は、縦方向に形成された切り取り用ミシン目９により、情報表示部４ｂと封筒部４ａとが横方向に並んで配置されている。
そして、封筒部４ａには、矩形状の用紙４に形成された切り取り用ミシン目９に沿って塗布された粘着剤層７が設けられ、更に、その粘着剤層７の上面に剥離可能に貼付された剥離テープ８を有している。
したがって、剥離テープ８を剥離させることで粘着剤層７が表出し、この粘着剤層７が設けられた用紙４の部分を封筒上紙５の上面側に折り返し接着させることで、一辺開口型の封筒部４ａを封緘させることができる。
【００１４】
また、封筒部４ａにおいて、用紙４の粘着剤層７から右側の領域上には、上辺側と、右辺側と、下辺側、の三周縁において塗布された接着剤４により用紙４上に接着された封筒上紙が設けられ、一辺開口型の封筒部４ａが形成されている。
【００１５】
そして、封筒上紙５には、該封筒上紙５の上辺側の２箇所から、下側方向に対して山型形状となるように形成された開封用の切り取り用ミシン目１２ａ，１２ｂを有している。
図４において、開封用の切り取り用ミシン目１２ａ，１２ｂは、封筒上紙５の上辺側の２箇所からそれぞれ封筒上紙５の上辺に対して４５度の傾斜角度により下方向で交わるように形成されている。
【００１６】
また、開封用の切り取り用ミシン目１２ａ，１２ｂのうち、左側の切り取り用ミシン目１２ａの封筒上紙５の上辺側の始点の位置は、少なくとも、用紙４の粘着剤層７が設けられた部分を折り返して、封筒上紙５の上面に貼付させた際に、その折り返した用紙の一部で切り取り用ミシン目１２ａが覆い隠れることがない位置に形成されている。
つまり、矩形状の用紙４を切り取り用ミシン目９から切り取って、封筒部４ａに申込用紙を封入させて、用紙４の粘着剤層７が設けられた部分を折り返して封緘させた場合でも、切り取り用ミシン目１２ａ，１２ｂが表側から見ることができるようにすることで、開封の際に切り取り用ミシン目１２ａ，１２ｂから切り取れるように構成されている。
【００１７】
そして、接着剤６が塗布されている部分において、封筒上紙５と用紙４とを上辺縁で接着する接着剤６については、下側方向に対して山型形状となるように形成された開封用の切り取り用ミシン目１２ａ，１２ｂの２本のミシン目間の途中の位置までに設けられている。
つまり、封筒上紙５と用紙４とを上辺縁で接着する接着剤６については、開封用の切り取り用ミシン目１２ａ，１２ｂのミシン目間の途中までの位置に、接着剤６が設けられていない領域を有している。
これにより、封筒上紙の上辺縁において接着剤が設けられていない領域に指を入れながら、封筒上紙に山型形状で形成されている開封用の切り取り用ミシン目１２ａ，１２ｂに基づいて封筒上紙を摘んで引っ張り上げることで、簡単に封筒上紙の一部分を切り取ることができるように工夫されている。
【００１８】
次に、本発明の実施形態に係る封筒部付き帳票１の使用方法について説明する。
まず、封筒部付き帳票１を用いて申し込みの手続きを行なう申込者である顧客は、商品情報が記載された２枚の広告用紙２ａ，２ｂに記載された内容を見て、申し込む商品やサービスの内容を確認する。
そして、それらの商品やサービスの申し込みを行なう場合には、申込用紙３ａの表面に申し込みに必要な事項を記入する。
４枚の申込用紙３ａ，３ｂ，３ｃ，３ｄは、ノーカーボン複写用紙などの複写可能な用紙となっているために、記入事項は最上位の申込用紙３ａからその下位に重ねられている３枚の申込用紙３ｂ，３ｃ，３ｄに複写される。
また、４枚の申込用紙３ａ，３ｂ，３ｃ，３ｄのうち、少なくとも１枚は、申込者の控え用の用紙となっており、申込者は、その控え用の用紙を切り取り用ミシン１１から切り離して保管する。
尚、ここでは、申込用紙３ｄを申込者の控え用の用紙として説明する。
【００１９】
次に、申込者は、最下位の用紙４を切り取り用ミシン目９から切り取って、封筒部４ａを切り離す。
そして、封筒部４ａの開口部から折り畳んだ申込用紙３ａ，３ｂ，３ｃを封入させる。
更に、申込用紙３ａ，３ｂ，３ｃを封入させた後に、剥離テープ８を粘着剤層７の上から剥離させる。
次に、図６に示すように、この粘着剤層７が設けられた用紙４の部分を封筒上紙５の上面側に折り返して、粘着剤層７により接着させることで、一辺開口型の封筒部４ａを封緘させて封筒を作成する。
これにより作成された封筒では、粘着剤層７が設けられた用紙４の部分が封筒上紙５の上面側に折り返した場合でも、下側方向に対して山型形状となるように形成された開封用の切り取り用ミシン目１２ａ，１２ｂが隠されない状態で外部から見える状態となるように構成されている。
【００２０】
そして、この封筒の受取人が、封筒の開封を行なう場合には、封筒上紙５と用紙４とを上辺縁で接着する接着剤６が、下側方向に対して山型形状となるように形成された開封用の切り取り用ミシン目１２ａ，１２ｂの２本のミシン目間の途中の位置までに設けられていることで、開封用の切り取り用ミシン目１２ａ，１２ｂのミシン目間の途中までの位置に、接着剤が設けられていない領域を有していることから、封筒上紙５と用紙４との上辺縁の接着剤が設けられていない領域に対して、指を差し込んで封筒上紙５の開封用の切り取り用ミシン目１２ａ，１２ｂが形成されている間の部分を摘んで引き上げることで、図７に示すように、封筒上紙５の一部分が三角形状で切り取ることで開封させる。
これにより、開封部から、封入されていた申込用紙３ａ，３ｂ，３ｃを引き抜くことで受取人が申込用紙３ａ，３ｂ，３ｃの記載事項を確認することができる。
【００２１】
以上のように、本発明の実施形態に係る封筒部付き帳票１は、封筒の受取人が開封作業を行なう際にも、封筒上紙の上辺縁において接着剤が設けられていない領域に指を入れながら、封筒上紙に山型形状で形成されている開封用の切り取り用ミシン目に基づいて封筒上紙を引っ張ることで、簡単に封筒上紙の一部分を切り取ることができ、申込用紙を取り出せるので、申込者から送信されてきた封筒を効率的に開封でき、更に、開封の際に、封入されている内部の申込書をうっかり切り取ることを防止することができる。
【図面の簡単な説明】
【００２２】
【図１】本発明の実施形態に係る封筒部付き帳票の斜視図である。
【図２】図１のＡ−Ａ線断面図である。
【図３】本発明の実施形態に係る封筒部付き帳票を分解状態にした平面図である。
【図４】本発明の実施形態に係る封筒部付き帳票の最下位にある一辺開口型の封筒部を有する矩形状の用紙の平面図である。
【図５】本発明の実施形態に係る封筒部付き帳票の一辺開口型の封筒部を有する矩形状の用紙から、封筒上紙を上方側に分離させた状態を示す平面図である。
【図６】本発明の実施形態に係る封筒部付き帳票を用いて作成した封筒の斜視図である。
【図７】本発明の実施形態に係る封筒部付き帳票を用いて作成した封筒を開封させた状態を示す斜視図である。
【符号の説明】
【００２３】
１  封筒部付き帳票
２ａ，２ｂ  広告用紙
３ａ，３ｂ，３ｃ，３ｄ  申込用紙
４  用紙
４ａ  封筒部
５  封筒上紙
６，１０  接着剤
７  粘着剤層
８  剥離テープ
９，１１  切り取り用ミシン
１２  接着部
１２ａ，１２ｂ  開封用の切り取り用ミシン目
【図１】
2010069810.tif 000003
【図２】
2010069810.tif 000004
【図３】
2010069810.tif 000005
【図４】
2010069810.tif 000006
【図５】
2010069810.tif 000007
【図６】
2010069810.tif 000008
【図７】
2010069810.tif 000009